(57)【要約】【課題】外部装置への安定した電気的導通と着脱の容易化とを薄型且つ軽量な構造で実現可能な導電性シートを提供する。【解決手段】シート型電極１１と、基端片部２０、基端片部２０の一端から折り返す折返部２１及び折返部２１の基端片部２０とは反対側から基端片部２０に沿って延出する先端片部２２を有し基端片部２０がシート型電極１１に沿う姿勢でシート型電極１１に接触する導電性フック１２とを有するシート本体１３と、導電性フック１２の先端片部２２を着脱自在に嵌合させるソケット１４とを備える。【選択図】図１
2014226172.tif 000002
【特許請求の範囲】
【請求項１】
シート型電極と、
基端片部、該基端片部の一端から折り返す折返部及び該折返部の前記基端片部とは反対側から前記基端片部に沿って延出する先端片部を有し前記基端片部が前記シート型電極に沿う姿勢で該シート型電極に接触する導電性フックと、を有するシート本体と、
前記導電性フックの前記先端片部を着脱自在に嵌合させるソケットと、
を備えることを特徴とする導電性シート。
【請求項２】
前記導電性フックは、前記基端片部の長さが前記先端片部よりも長いことを特徴とする請求項１記載の導電性シート。
【請求項３】
シート型電極と、
該シート型電極から延出する導電性線状部と、
該導電性線状部から線径方向に拡大する導電性結節部と、を有するシート本体と、
前記導電性結節部及び前記導電性線状部の少なくともいずれか一方に着脱自在に接続されるコネクタと、
を備えることを特徴とする導電性シート。
【請求項４】
前記コネクタは、前記導電性結節部を内側に嵌合可能な有底筒状をなし前記導電性線状部が通過可能なスリットが開口側から底側まで形成されてなる嵌合部を有することを特徴とする請求項３記載の導電性シート。
【請求項５】
前記コネクタは、前記導電性結節部が通過可能なループを有する導電性本体部と、該導電性本体部に対しスライドすることで前記ループを拡縮するスライド部材とを有することを特徴とする請求項３記載の導電性シート。
【発明の詳細な説明】
【技術分野】
【０００１】
本発明は、導電性シートに関するものであり、特に外部装置との電気的導通を得る構造に関する。
【背景技術】
【０００２】
心電図等の生体信号の計測は、皮膚に貼り付けられた電極により行われるのが一般的であるが、近年、ウェアラブル型電極を用いることにより、ヒトや動物等の生体信号や動作を計測する技術が急速に進展しており、医療分野やヘルスモニタリング分野で広く使用されるようになっている。衣服（基材は布地、シートあるいは紐）等に導電性材料のプリント（コーティング）によって導電性を付与されるタイプのウェラブル型多点電極等のシート型電極は、外部装置に信号を伝えるためのケーブルと容易にコネクタ接続することが求められている。その接続構造としては、クリップで配線部を挟む構造（特許文献１参照）や、シート型電極に設置されたホックボタン型コネクタを利用する構造（特許文献２参照）等を用いることが考えられる。
【先行技術文献】
【特許文献】
【０００３】
【特許文献１】米国特許第４８９０６２２号明細書
【特許文献２】特開２００３−７７５６６号公報
【発明の概要】
【発明が解決しようとする課題】
【０００４】
ところで、特許文献１に記載されているようなクリップで配線部を挟み込む方法では、シート型電極を損傷しやすかったり、外れやすく安定した固定が困難であったり、接続数が多くなると脱着が困難となるなどの課題があった。また、クリップは装着感の点から薄型とすることが好ましいが、シート型電極を生体に設置する場合には、クリップがその厚みにより皮膚に当たって使用者に違和感を覚えさせることも課題であった。
【０００５】
また、ホックボタン型コネクタを用いた場合、コネクタを形成するためには多くの加工が必要であり、製造コストがかさむという課題があった。また、接続数が多くなると脱着が困難という課題があった。さらに、ホックボタン型コネクタを用いた場合、電極の脱落を防ぐために、スナップボタンのサイズが大きくなる傾向があるが、シート型電極を生体に設置する場合、ホックボタンの厚みにより突起部が形成され皮膚に当たり、クリップで配線部を挟み込む場合と同様、使用者に違和感を覚えさせ、さらには、皮膚の擦れ、かゆみや皮膚炎の原因ともなることも課題であった。
【０００６】
また、ホルター心電図のような被験者が動く状況での生体信号の計測時には、電極とコネクタ、ケーブル類を含めた重量が大きいと、歩行時などの体動の際に振動し、皮膚、皮膚電極接続部、ケーブル類からノイズが発生する。こうした体動時のノイズが混入すると不整脈などの生体信号の異常との判別が困難となるため出来る限り軽減することが求められている。
【０００７】
このような体動時のノイズの軽減のためには、クリップ、コネクタ、ケーブルを含めた軽量化が必要である。従来のホルター心電図用の電極は据え付け型の１２誘導心電図を小型化したものが多く、ノイズ低減のためにケーブル類をサージカルテープで胸壁に固定するなどの対策をしているが、ケーブル類をサージカルテープで固定する場合、テープかぶれなどを起こすなど問題があり根本的な解決には至っていない。
【０００８】
この発明は、このような事情を考慮してなされたもので、その目的は、外部装置への安定した電気的導通と着脱の容易化とを薄型且つ軽量な構造で実現可能な導電性シートを提供することにある。
【課題を解決するための手段】
【０００９】
上記目的を達成するために、本発明に係る導電性シートは、シート型電極と、基端片部、該基端片部の一端から折り返す折返部及び該折返部の前記基端片部とは反対側から前記基端片部に沿って延出する先端片部を有し前記基端片部が前記シート型電極に沿う姿勢で該シート型電極に接触する導電性フックと、を有するシート本体と、前記導電性フックの前記先端片部を着脱自在に嵌合させるソケットと、を備えることを特徴とする。
【００１０】
上記の導電性フックは、基端片部がシート型電極にこれに沿う姿勢で接触することになり、折返部を介して基端片部に沿って延出する先端片部は、シート型電極に対し間隔をあけてこれに沿うことになる。そして、この導電性フックの先端片部にソケットを着脱させることで、シート型電極と外部装置への電気的接続及びその解除を行う。このような構造であるため、外部装置への安定した電気的導通と着脱の容易化とを薄型且つ軽量な構造で実現可能となる。
【００１１】
この場合、前記導電性フックは、前記基端片部の長さが前記先端片部よりも長くされているのが好ましい。
【００１２】
これにより、導電性フックをシート型電極に確実に接合することができる。
【００１３】
また、本発明に係る導電性シートは、シート型電極と、該シート型電極から延出する導電性線状部と、該導電性線状部から線径方向に拡大する導電性結節部と、を有するシート本体と、前記導電性結節部及び前記導電性線状部の少なくともいずれか一方に着脱自在に接続されるコネクタと、を備えることを特徴とする。
【００１４】
このように、シート型電極から延出する導電性線状部に線径方向に拡大する導電性結節部を設け、導電性結節部及び導電性線状部の少なくともいずれか一方にコネクタを着脱させることで、外部装置への電気的接続及びその解除を行う。このような構造であるため、外部装置への安定した電気的導通と着脱の容易化とを薄型且つ軽量な構造で実現可能となる。
【００１５】
この場合、前記コネクタは、前記導電性結節部を内側に嵌合可能な有底筒状をなし前記導電性線状部が通過可能なスリットが開口側から底側まで形成されてなる嵌合部を有するのが好ましい。
【００１６】
これにより、スリットに導電性線状部を通過させながら、嵌合部に導電性結節部を嵌合させることで、コネクタを容易且つ確実に導電性結節部及び導電性線状部の少なくともいずれか一方に接続させる。このような構造であるため、より一層、外部装置への安定した電気的導通と着脱の容易化とを薄型且つ軽量な構造で実現可能となる。
【００１７】
また、前記コネクタは、前記導電性結節部が通過可能なループを有する導電性本体部と、該導電性本体部に対しスライドすることで前記ループを拡縮するスライド部材とを有するのが好ましい。
【００１８】
これにより、ループを拡大した状態でその内側に導電性結節部を通した後に、スライド部材でループを縮めることで、コネクタを容易且つ確実に導電性結節部及び導電性線状部の少なくともいずれか一方に接続させる。このような構造であるため、より一層、外部装置への安定した電気的導通と着脱の容易化とを薄型且つ軽量な構造で実現可能となる。
【発明の効果】
【００１９】
本発明によれば、外部装置への安定した電気的導通と着脱の容易化とを薄型且つ軽量な構造で実現可能となる。
【図面の簡単な説明】
【００２０】
【図１】本発明の第１実施形態に係る導電性シートを示す側断面図であって、（ａ）は着脱部の接続前の状態、（ｂ）は着脱部の接続後の状態を、それぞれ示すものである。
【図２】本発明の第１実施形態に係る導電性シートを示す斜視断面図である。
【図３】本発明の第１実施形態に係る導電性シートの変形例を示す側断面図である。
【図４】本発明の第２実施形態に係る導電性シートを示す側断面図であって、（ａ）は着脱部の接続前の状態、（ｂ）は着脱部の接続後の状態を、それぞれ示すものである。
【図５】本発明の第３実施形態に係る導電性シートを示す側断面図であって、（ａ）は着脱部の接続前の状態、（ｂ）は着脱部の接続途中の状態、（ｃ）は着脱部の接続後の状態を、それぞれ示すものである。
【発明を実施するための形態】
【００２１】
「第１実施形態」
本発明の第１実施形態に係る導電性シートを図１〜図３を参照して説明する。
【００２２】
図１に示すように、第１実施形態に係る導電性シート１０は、シート型電極１１および導電性フック１２を有するシート本体１３と、ソケット１４とを備えている。
【００２３】
導電性フック１２は、平坦な形状の基端片部２０と、この基端片部２０の一端から折り返す湾曲形状の折返部２１と、折返部２１の基端片部２０とは反対側から基端片部２０に沿って延出する平坦な形状の先端片部２２とを有している。基端片部２０と先端片部２２とは平行となっている。基端片部２０は、折返部２１とは反対側の端部から折返部２１側の端部までの長さが、先端片部２２の折返部２１とは反対側の端部から折返部２１側の端部までの長さよりも長くなっている。よって、導電性フック１２は長辺とこれより短い短辺とを有する不等辺Ｕ字型をなしている。
【００２４】
導電性フック１２は、導電性材料からなるもので、例えば金属素材を曲げ加工することにより形成される。具体的には、市販の雌コネクタとしてのピンソケット（ロングピンソケット）からピンヘッドの金属部を取り外し、これを不等辺Ｕ字型に曲げ加工したり、表面に金メッキを施した銅線を、不等辺Ｕ字型に曲げ加工したりすることにより導電性フック１２とすることができる。導電性フック１２の素材は、金属製に限定されるものではなく、カーボン、導電性ポリマー等の導電性素材を幅広く用いることができる。また、導電性フック１２の大きさとしては、例えば、基端片部２０側つまり長辺側の長さを１８ｍｍ、先端片部２２側つまり短辺側の長さを７ｍｍ、折返部２１の高さを４ｍｍとすることができるが、勿論、これに限定されるものではない。
【００２５】
シート型電極１１は、シート状の導電性布２５とシート状の導電性布２６とを有している。導電性布２５は、ＰＥＤＯＴ−ＰＳＳコートした布であり、導電性布２６は、銀コートナイロン布である。導電性布２６は導電性布２５に沿うように配置されて導電性布２５に接着されている。
【００２６】
上記した導電性フック１２は、基端片部２０が、シート型電極１１に沿う姿勢つまりこれを構成する導電性布２５及び導電性布２６に沿う姿勢で、導電性布２５と導電性布２６との間（つまりこれらの接合面）に配置されて、これらに接着されている。このように、導電性フック１２は、基端片部２０を導電性布２５と導電性布２６との間に挿入することによってシート型電極１１との電気的導通を得る。そして、導電性フック１２は、折返部２１が、導電性布２６に形成された穴２６ａを貫通して導電性布２６の導電性布２５とは反対側に延出しており、先端片部２２が折返部２１から導電性布２６つまりシート型電極１１に沿って延出している。このとき、先端片部２２は、シート型電極１１の導電性布２６に対し所定の間隔をあけて平行に配置されている。このようにシート型電極１１に基端片部２０において埋設された導電性フック１２が、シート型電極１１とによって導電性シート１０のシート本体１３を構成している。つまり、一体化されたシート型電極１１及び導電性フック１２が導電性シート１０のシート本体１３を構成している。
【００２７】
シート本体１３は、そのシート型電極１１が、生体によって着用されることになるウエア（肌着、下着）等の布帛２８に沿うように配置されて、布帛２８の生体側の裏面に導電性布２６において接着される。その際に、導電性フック１２の折返部２１が、布帛２８に形成された穴２８ａを貫通して布帛２８の表面側に延出しており、導電性フック１２の先端片部２２が折返部２１から布帛２８に沿って延出する。先端片部２２は、布帛２８に対しても所定の間隔をあけて平行に配置されている。布帛２８から外側に露出する先端片部２２は雄型端子（雄コネクタ）となる。
【００２８】
ソケット１４は、一端に開口部３０を有する筒状をなしている。ソケット１４は、導電性材料からなるもので、例えば金属素材からなっている。ソケット１４は、開口部３０から導電性フック１２の先端片部２２が差し込まれることにより、導電性フック１２を介してシート型電極１１との電気的導通を得る。ソケット１４は、導電性フック１２の先端片部２２を着脱自在に嵌合させるものであり、雌型端子（雌コネクタ）となっている。
【００２９】
ソケット１４には、図示略の外部装置から延出する信号ケーブル３１が他端に接続されており、よって、ソケット１４に導電性フック１２の先端片部２２が嵌合されると、シート型電極１１と外部装置とが電気的導通を得る。つまり、図１（ａ）および図２に示す状態から、図１（ｂ）に示すようにソケット１４に導電性フック１２の先端片部２２を差し込むと、シート型電極１１と外部装置とが電気的に接続され、図１（ｂ）に示す状態から、図１（ａ）および図２に示すようにソケット１４から導電性フック１２の先端片部２２が引き抜かれるとシート型電極１１と外部装置との電気的接続が解除される。ソケット１４が導電性フック１２の先端片部２２に接合された状態で、布帛２８に沿ってソケット１４及び信号ケーブル３１が配置されることになり、ソケット１４及び信号ケーブル３１の全体の厚みが薄くなる。ソケット１４と導電性フック１２の先端片部２２とが、雄雌の着脱部３３を構成している。この着脱部３３によって、シート型電極１１と外部装置との電気的接続及びその解除がそれぞれワンタッチの操作で可能となり、シート型電極１１に容易にアクセス可能となる。
【００３０】
以上に述べた第１実施形態に係る導電性シート１０によれば、導電性フック１２は、基端片部２０がシート型電極１１にこれに沿う姿勢で接触することになり、折返部２１を介して基端片部２０に沿って延出する先端片部２２は、シート型電極１１に対し間隔をあけてこれに沿うことになる。そして、この導電性フック１２の先端片部２２にソケット１４を着脱させることで、シート型電極１１と外部装置との電気的接続及びその解除を行う。このような構造であるため、外部装置への安定した電気的導通と着脱の容易化とを薄型且つ軽量な構造で実現可能となる。
【００３１】
なお、図３に示す変形例のように、生体によって着用されるウエアの布帛２８に直接導電性材料（ＰＥＤＯＴ−ＰＳＳ等）をコーティングして導電性を付与した導電性領域３５を形成し、導電性布２５をなくして導電性領域３５の表面に導電性布２６を接着してシート型電極１１Ａを構成する場合、導電性領域３５と導電性布２６との間に導電性フック１２の基端片部２０を配置することになる。つまり、導電性フック１２は、基端片部２０が、シート型電極１１Ａに沿う姿勢つまりこれを構成する布帛２８の導電性領域３５及び導電性布２６に沿う姿勢で、導電性領域３５と導電性布２６との間に配置されて、これらに接着される。この場合、導電性フック１２は、折返部２１が、導電性布２６に形成された穴２６ａを貫通して導電性領域３５とは反対側に延出することになり、先端片部２２が折返部２１から導電性布２６に沿い導電性布２６に対し所定の間隔をあけて平行に延出することになる。この場合、導電性フック１２と、導電性領域３５を有する布帛２８と、導電性布２６とがシート本体１３Ａを構成し、このシート本体１３Ａとソケット１４とが導電性シート１０Ａを構成する。
【００３２】
「第２実施形態」
次に、本発明の第２実施形態に係る導電性シートを主に図４を参照して第１実施形態との相違部分を中心に説明する。
【００３３】
第２実施形態に係る導電性シート１０Ｂは、第１実施形態と同様の導電性布２５と導電性布２６とを有するシート型電極１１を備えている。その一方で、第１実施形態の導電性フック１２を有しておらず、代わりに導電性線状部としての線状の導電性ワイヤ４１を有している。
【００３４】
導電性ワイヤ４１は、その一部がシート型電極１１に沿う姿勢つまりこれを構成する導電性布２５及び導電性布２６に沿う姿勢で、導電性布２５と導電性布２６との間に配置されて、これらに接着されている。このように、導電性ワイヤ４１も、一部を導電性布２５と導電性布２６との間に挿入することによってシート型電極１１との電気的導通を得る。そして、導電性ワイヤ４１は、一部が、導電性布２６に形成された穴２６ａを貫通して導電性布２６の導電性布２５とは反対側に延出して延出部４２を構成している。つまり、延出部４２はシート型電極１１から外側に延出している。そして、この延出部４２には、その線径方向に拡大する導電性結節部を構成する球状の導電性ビーズ４３が接合されている。導電性ワイヤ４１およびその片端に固定された導電性ビーズ４３が導電性部材４４となっており、この導電性部材４４がシート型電極１１とによって導電性シート１０Ｂのシート本体１３Ｂを構成している。
【００３５】
シート本体１３Ｂは、第１実施形態と同様、そのシート型電極１１が布帛２８に沿うように配置されて布帛２８の生体側の裏面に導電性布２６において接着されるが、その際に、導電性ワイヤ４１が、布帛２８に形成された穴２８ａを貫通して布帛２８の表面側に延出する。なお、導電性ワイヤ４１が穴２８ａに通される時点では、導電性ワイヤ４１に導電性ビーズ４３は取り付けられておらず、通された後に導電性ビーズ４３が取り付けられる。導電性ビーズ４３及び導電性ワイヤ４１の延出部４２が、布帛２８から外側に露出する雄型端子（雄コネクタ）となっている。
【００３６】
第２実施形態に係る導電性シート１０Ｂは、第１実施形態のソケット１４を有しておらず、代わりに導電性部材４４の導電性ビーズ４３及び導電性ワイヤ４１に着脱自在に接続されるコネクタ５０を有している。コネクタ５０は、有底筒状をなし開口部同士を対向されて配置される一対の嵌合部５１，５２と、これら嵌合部５１，５２の間に配置される中間部５３とを有している。嵌合部５１，５２は、いずれも底部が略球面状をなしており、一端の開口側から他端の底側までスリット５１ａ，５２ａが形成されている。中間部５３は、径方向に開口する開口部５５を有しており、この開口部５５には一対の嵌合部５１，５２の両方のスリット５１ａ，５２ａが開口している。中間部５３の開口部５５は導電性ビーズ４３が通過可能となる大きさであり、一方の嵌合部５１の内径が導電性ビーズ４３を内側に嵌合させることが可能となるように導電性ビーズ４３の外径よりも若干小径となっている。また、一方のスリット５１ａの幅は導電性ワイヤ４１が通過可能となる大きさとなっている。
【００３７】
コネクタ５０は、導電性材料からなるもので、例えば金属素材からなっている。具体的には、金属板を曲げ加工することで上記形状に一体成形されている。コネクタ５０には、中間部５３の開口部５５に導電性部材４４の導電性ビーズ４３が挿入された後、一方の嵌合部５１のスリット５１ａに導電性部材４４の導電性ワイヤ４１が通され、このスリット５１ａ内で底部側に導電性ワイヤ４１が移動させられながら、導電性ビーズ４３が一方の嵌合部５１の内側に嵌合されて固定される。これにより、コネクタ５０は、導電性部材４４を介してシート型電極１１との電気的導通を得る。また、導電性ビーズ４３が一方の嵌合部５１から取り外されてスリット５１ａから導電性ワイヤ４１が引き抜かれると、コネクタ５０はシート型電極１１との電気的導通が解除される。このようにコネクタ５０は、いわゆるボールチェーン型フックの形状をなして、導電性部材４４のボール状の導電性ビーズ４３を着脱自在に接続させるものであり、雌型端子（雌コネクタ）となっている。
【００３８】
コネクタ５０には、他方の嵌合部５２に図示略の外部装置から延出する信号ケーブル３１Ｂが接続されている。つまり、信号ケーブル３１Ｂの末端に導電性ビーズ５７が固定されており、コネクタ５０には、中間部５３の開口部５５に信号ケーブル３１Ｂの導電性ビーズ５７が挿入された後、他方の嵌合部５２のスリット５２ａに信号ケーブル３１Ｂが通され、このスリット５２ａ内で底部側に信号ケーブル３１Ｂが移動させられながら、導電性ビーズ５７が他方の嵌合部５２の内側に嵌合されて固定される。これにより、コネクタ５０は、信号ケーブル３１Ｂを介して図示略の外部装置との電気的導通を得る。
【００３９】
よって、信号ケーブル３１Ｂに予め上記のようにして接続された状態にあるコネクタ５０に、導電性部材４４が上記のように取り付けられると、シート型電極１１と外部装置とが電気的導通を得る。コネクタ５０が導電性部材４４に接合された状態で、布帛２８に沿ってコネクタ５０及び信号ケーブル３１Ｂが配置されることになり、コネクタ５０及び信号ケーブル３１Ｂの全体の厚みが薄くなる。コネクタ５０と導電性部材４４の延出部４２および導電性ビーズ４３とが、雄雌の着脱部３３Ｂを構成している。この着脱部３３Ｂによって、シート型電極１１と外部装置との電気的接続及びその解除がそれぞれワンタッチの操作で可能となり、シート型電極１１に容易にアクセス可能となる。
【００４０】
以上に述べた第２実施形態に係る導電性シート１０Ｂによれば、シート型電極１１から延出する導電性ワイヤ４１に線径方向に拡大する導電性ビーズ４３を設け、導電性ビーズ４３及び導電性ワイヤ４１にコネクタ５０を着脱させることで、外部装置への電気的接続及びその解除を行う。このような構造であるため、外部装置への安定した電気的導通と着脱の容易化とを薄型且つ軽量な構造で実現可能となる。
【００４１】
しかも、スリット５１ａに導電性ワイヤ４１を通過させながら、嵌合部５１に導電性ビーズ４３を嵌合させることで、より一層、コネクタ５０を容易且つ確実に導電性ビーズ４３及び導電性ワイヤ４１に接続させることができる。特に、コネクタ５０が外れ難くなる上、脱着の容易さを備えている。さらに、ボール状の導電性ビーズ４３の可動性によって、信号ケーブル３１Ｂの震動により生じるシート型電極１１の変形に伴う生体信号の歪みを軽減できる。
【００４２】
「第３実施形態」
次に、本発明の第３実施形態に係る導電性シートを主に図５を参照して第２実施形態との相違部分を中心に説明する。
【００４３】
第３実施形態に係る導電性シート１０Ｃは、第２実施形態と同様のシート本体１３Ｂを有しており、第２実施形態とは異なるコネクタ６０を有している。第３実施形態のコネクタ６０は、導電性本体部としての信号ケーブル３１Ｃの末端に形成されたループ６１と、信号ケーブル３１Ｃに対しスライドすることでループ６１を拡縮調節するスライド部材６２とを有している。スライド部材６２はチューブであり、その内側に信号ケーブル３１Ｃが挿入されていて、信号ケーブル３１Ｃに沿って移動することでループ６１のスライド部材６２からの露出部分を拡縮する。ループ６１は、図５（ａ）に示すように最も拡大した状態で、導電性ビーズ４３を通過させることが可能な大きさとなっている。ループ６１の大きさは、例えば、ループ６１を展開した状態で直径５ｍｍから２０ｍｍ程度の大きさが望ましいが、この数値に特に限定されることはない。また、スライド部材６２は、ループを完全に閉じることが可能となっている。
【００４４】
ここで、ループ６１を含む信号ケーブル３１Ｃは、導電性素材からなるもので、例えば導電性繊維、金属、カーボン製のワイヤである。スライド部材６２は、その弾性と信号ケーブル３１Ｃとの摩擦により信号ケーブル３１Ｃ上の位置を固定することができる。スライド部材６２の素材は、例えば、シリコーン樹脂、ＰＶＣ、ポリ酢酸ビニール、ポリイミド、ラバー等、柔軟で絶縁性を持つ材質であれば、限定されることなく、広く用いることができる。
【００４５】
コネクタ６０は、図５（ａ）に示すようにループ６１が拡大された状態で、図５（ｂ）に示すようにループ６１の内側に導電性部材４４の導電性ビーズ４３を挿入させることで、導電性ビーズ４３よりも内側の導電性ワイヤ４１に掛けられることなり、この状態で、図５（ｃ）に示すようにスライド部材６２が信号ケーブル３１Ｃの末端に向けてスライドさせられてループ６１が縮小すると、ループ６１は、導電性ワイヤ４１を絞扼するとともに導電性ビーズ４３を通過不可として導電性ワイヤ４１から抜け止めされ固定される。これにより、コネクタ６０は、導電性部材４４を介してシート型電極１１との電気的導通を得る。また、スライド部材６２が上記とは逆にスライドさせられてループ６１が拡大すると、ループ６１は、導電性ワイヤ４１の把持を解除するとともに導電性ビーズ４３を通過させることが可能となり、導電性ビーズ４３がループ６１から抜かれると、シート型電極１１との電気的導通が解除される。このようにコネクタ６０は、いわゆる係蹄型コネクタであり、導電性部材４４のボール状の導電性ビーズ４３を着脱自在に接続させる、雌型端子（雌コネクタ）となっている。
【００４６】
コネクタ６０がシート本体１３Ｂの導電性部材４４に接合された状態で、布帛２８に沿ってコネクタ６０及び信号ケーブル３１Ｃが配置されることになり、コネクタ６０及び信号ケーブル３１Ｃの全体の厚みが薄くなる。コネクタ６０と、導電性部材４４の延出部４２および導電性ビーズ４３とが、雄雌の着脱部３３Ｃを構成している。この着脱部３３Ｃによって、シート型電極１１と外部装置との電気的接続及びその解除がそれぞれワンタッチの操作で可能となり、シート型電極１１に容易にアクセス可能となる。
【００４７】
以上に述べた第３実施形態に係る導電性シート１０Ｃによれば、シート型電極１１から延出する導電性ワイヤ４１に線径方向に拡大する導電性ビーズ４３を設け、導電性ビーズ４３及び導電性ワイヤ４１にコネクタ６０を着脱させることで、外部装置への電気的接続及びその解除を行う。このような構造であるため、外部装置への安定した電気的導通と着脱の容易化とを薄型且つ軽量な構造で実現可能となる。
【００４８】
しかも、ループ６１を拡大した状態でその内側に導電性ビーズ４３を通した後に、スライド部材６２でループ６１を縮めることで、コネクタ６０を導電性部材４４に接続させる構造であるため、より一層、外部装置への安定した電気的導通と着脱の容易化とを薄型且つ軽量な構造で実現可能となる。
【００４９】
なお、第２，第３実施形態において、第１実施形態の変形例と同様、布帛２８に導電性領域３５を設け、この導電性領域３５とその表面側の導電性布２６との間に導電性部材４４の導電性ワイヤ４１の一部を配置して、延出部４２および導電性ビーズ４３を導電性布２６の導電性領域３５とは反対側に露出させても良い。
【００５０】
また、第２，第３実施形態においては、導電性線状部として、導電性ワイヤ４１を例示したが、これにかえて導電性繊維を用いても良い。また、第２，第３実施形態においては、別体の導電性ビーズ４３を導電性ワイヤ４１に取り付ける場合を例示したが、導電性ワイヤ４１等の導電性線状体に結び目を作って導電性結節部としても良い。
【符号の説明】
【００５１】
１０，１０Ａ，１０Ｂ，１０Ｃ  導電性シート
１１  シート型電極
１２  導電性フック
１３，１３Ａ，１３Ｂ  シート本体
１４  ソケット
２０  基端片部
２１  折返部
２２  先端片部
２５  導電性布
２６  導電性布
３１，３１Ｂ，３１Ｃ  信号ケーブル
４１  導電性ワイヤ（導電性線状部）
４３  導電性ビーズ（導電性結節部）
５０，６０  コネクタ
５１  嵌合部
５１ａ  スリット
６１  ループ
６２  スライド部材
【図１】
2014226172.tif 000003
【図２】
2014226172.tif 000004
【図３】
2014226172.tif 000005
【図４】
2014226172.tif 000006
【図５】
2014226172.tif 000007